(57)【要約】【課題】複数の利用者が利用する車両において、車載のアプリケーション実行装置等に入力されたアカウント情報等が利用者間で盗用等されるのを防止すること。【解決手段】複数の電子鍵のそれぞれを用いて利用することのできる車両において利用者が入力した入力情報を管理する入力情報管理システムであって、電子鍵を用いて車両の操作が行われたときに当該電子鍵の鍵情報を取得して記憶する鍵情報取得部と、記憶装置に記憶された上記入力情報を消去する入力情報消去部と、を備え、入力情報消去部は、鍵情報取得部が鍵情報を取得したときに、当該取得した現在の鍵情報と、当該現在の鍵情報の取得の前に鍵情報取得部が最後に記憶した最後の鍵情報とを比較し、当該比較の結果に応じて上記記憶装置に記憶されている上記入力情報を消去する。【選択図】図２
2020160639.tif 000002
【特許請求の範囲】
【請求項１】
複数の電子鍵のそれぞれを用いて利用することのできる車両において利用者が入力した入力情報を管理する入力情報管理システムであって、
前記電子鍵を用いて前記車両の操作が行われたときに当該電子鍵の鍵情報を取得して記憶する鍵情報取得部と、
記憶装置に記憶された前記入力情報を消去する入力情報消去部と、
を備え、
前記入力情報消去部は、前記鍵情報取得部が前記鍵情報を取得したときに、当該取得した現在の鍵情報と、当該現在の鍵情報の取得の前に前記鍵情報取得部が最後に記憶した最後の鍵情報とを比較し、当該比較の結果に応じて前記記憶装置に記憶されている前記入力情報を消去する、
入力情報管理システム。
【請求項２】
前記鍵情報取得部が取得する前記電子鍵の鍵情報は、当該電子鍵の保有者のカテゴリを示すカテゴリ情報を含み、
前記入力情報消去部は、前記現在の鍵情報のカテゴリ情報と前記最後の鍵情報のカテゴリ情報とが一致しないとき、前記記憶装置に記憶されている前記入力情報を消去する、
請求項１に記載の入力情報管理システム。
【請求項３】
前記カテゴリ情報は、少なくとも、前記車両の所有者、当該所有者と所定の関係を有する者である特定使用者、及び、前記所有者でなく前記特定使用者でもない非特定使用者、の区別を示すものである、
請求項２に記載の入力情報管理システム。
【請求項４】
前記鍵情報取得部が取得する前記電子鍵の鍵情報は、前記電子鍵を識別する認証情報を含み、
前記入力情報消去部は、前記現在の鍵情報のカテゴリ情報と前記最後の鍵情報のカテゴリ情報とが一致する場合であって、当該一致したカテゴリ情報が所定のカテゴリ情報であるときは、前記現在の鍵情報の前記認証情報と前記最後の鍵情報の前記認証情報とが異なる場合に、前記記憶装置に記憶されている前記入力情報を消去する、
請求項３に記載の入力情報管理システム。
【請求項５】
前記所定のカテゴリ情報は、前記電子鍵の保有者が前記非特定使用者であることを示すものである、
請求項４に記載の入力情報管理システム。
【請求項６】
少なくとも前記非特定使用者を示す前記カテゴリ情報を含む前記鍵情報を有する複数の前記電子鍵は、前記鍵情報に互いに異なる前記認証情報を含む、
請求項４または５に記載の入力情報管理システム。
【請求項７】
前記入力情報は、前記利用者の個人情報、識別コード、アカウント情報、パスワード、ログイン情報、及びセキュリティ質問の正答、の少なく一つを含むものである、
請求項１ないし６のいずれか一項に記載の入力情報管理システム。
【請求項８】
前記記憶装置は、アプリケーションプログラムを実行するアプリケーション実行装置に備えられており、
前記入力情報は、前記アプリケーションプログラムの実行に際して利用者が前記アプリケーション実行装置に入力した情報であって、
前記入力情報消去部は、前記アプリケーション実行装置に指示して、前記記憶装置に記憶されている前記入力情報を消去する、
請求項１ないし７のいずれか一項に記載の入力情報管理システム。
【発明の詳細な説明】
【技術分野】
【０００１】
本発明は、複数の電子鍵のそれぞれを用いて複数の利用者が利用することのできる車両において、利用者が車載装置に入力した情報を管理する入力情報管理システムに関する。
【背景技術】
【０００２】
複数の利用者が車両を利用する場合、当該車両に搭載されている装置（車載装置）も複数の利用者によって利用されることとなり得る。このような車載装置には、アプリケーションプログラム（以下、単にプリケーションともいう）を実行することにより種々の機能を利用者に提供するアプリケーション実行装置、いわゆるディスプレイオーディオやコネクティビティオーディオなども含まれる。
【０００３】
このようなアプリケーション実行装置で実行されるアプリケーションには、その実行に際し、例えばログイン動作を行うために利用者に対して当該利用者のＩＤ（識別コード）やパスワード等のアカウント情報（あるいはログイン情報）の入力を求めるものがある。また、アプリケーション実行装置で実行されるアプリケーションには、当該アプリケーションを介したウェブサイト等へのアクセスに際して同様のアカウント情報やログイン情報を求めたり、アカウント情報等の設定のために利用者の住所や生年月日等の個人情報の入力を求めるものがある。
【０００４】
利用者が、例えばアプリケーション実行装置が備えるタッチパネル等の入力装置を介して上記アカウント情報や個人情報を入力すると、アプリケーションによっては、例えばＷＥＢブラウザにおけるｃｏｏｋｉｅのように、当該入力されたアカウント情報や個人情報をアプリケーション実行装置が備える記憶装置に記憶する場合がある。このような記憶装置に記憶された入力情報は、例えば他の利用者が同様のアプリケーションを起動したときに自動的に参照され、その前の利用者のアカウント情報やログイン情報を用いてログイン動作が行われ得る。その結果、複数の電子鍵のそれぞれを用いて複数の利用者が利用することのできる車両においては、車載アプリケーション実行装置に対して一の利用者が入力したアカウント情報等や個人情報を、他の利用者が盗用又は誤用し、あるいは他へ流出させる等の問題が生じ得る。
【０００５】
従来、複数の利用者のそれぞれに応じて各利用者の個人設定を記憶して使用するナビゲーション装置が知られている（例えば、特許文献１参照）。このナビゲーション装置では、それぞれの利用者は、固有のキーコードを有するキーを所有し、ナビゲーション装置を使用する際に当該キーからナビゲーション装置へキーコードを送信する。ナビゲーション装置は、受信したキーコードが自身の記憶装置に記憶されていないときは、当該受信したキーコードを記憶すると共に、当該キーコードに対応付けた個別記憶領域を記憶装置内に確保して、その利用者がナビゲーション装置に設定する内容を個別記憶領域に保存する。一方、上記キーから受信したキーコードが既に記憶装置に記憶されているときは、ナビゲーション装置は、そのキーコードに対応付けられた個別記憶領域内に保存されている設定内容を参照し、当該設定を用いて当該利用者に対し種々の機能を提供する。
【０００６】
しかしながら、上記従来のナビゲーション装置は、単に、利用者に応じて設定を自動的に切り替えるものであって、上記のような車載のアプリケーション実行装置における、利用者入力情報の盗用等についての解決策を与えるものではない。
【先行技術文献】
【特許文献】
【０００７】
【特許文献１】特開２００６−１７８６４３号公報
【発明の概要】
【発明が解決しようとする課題】
【０００８】
本発明は、上記背景に鑑みなされたものであり、複数の利用者が利用することのできる車両において利用者間に発生し得る、車載装置を介したアカウント情報等の盗用等を防止することを目的とする。
【課題を解決するための手段】
【０００９】
本発明の一の態様は、複数の電子鍵のそれぞれを用いて利用することのできる車両において利用者が入力した入力情報を管理する入力情報管理システムであって、前記電子鍵を用いて前記車両の操作が行われたときに当該電子鍵の鍵情報を取得して記憶する鍵情報取得部と、記憶装置に記憶された前記入力情報を消去する入力情報消去部と、を備え、前記入力情報消去部は、前記鍵情報取得部が前記鍵情報を取得したときに、当該取得した現在の鍵情報と、当該現在の鍵情報の取得の前に前記鍵情報取得部が最後に記憶した最後の鍵情報とを比較し、当該比較の結果に応じて前記記憶装置に記憶されている前記入力情報を消去する、入力情報管理システムである。
本発明の他の態様によると、前記鍵情報取得部が取得する前記電子鍵の鍵情報は、当該電子鍵の保有者のカテゴリを示すカテゴリ情報を含み、前記入力情報消去部は、前記現在の鍵情報のカテゴリ情報と前記最後の鍵情報のカテゴリ情報とが一致しないとき、前記記憶装置に記憶されている前記入力情報を消去する。
本発明の他の態様によると、前記カテゴリ情報は、少なくとも、前記車両の所有者、当該所有者と所定の関係を有する者である特定使用者、及び、前記所有者でなく前記特定使用者でもない非特定使用者、の区別を示すものである。
本発明の他の態様によると、前記鍵情報取得部が取得する前記電子鍵の鍵情報は、前記電子鍵を識別する認証情報を含み、前記入力情報消去部は、前記現在の鍵情報のカテゴリ情報と前記最後の鍵情報のカテゴリ情報とが一致する場合であって、当該一致したカテゴリ情報が所定のカテゴリ情報であるときは、前記現在の鍵情報の前記認証情報と前記最後の鍵情報の前記認証情報とが異なる場合に、前記記憶装置に記憶されている前記入力情報を消去する。
本発明の他の態様によると、前記所定のカテゴリ情報は、前記電子鍵の保有者が前記非特定使用者であることを示すものである。
本発明の他の態様によると、少なくとも前記非特定使用者を示す前記カテゴリ情報を含む前記鍵情報を有する複数の前記電子鍵は、前記鍵情報に互いに異なる前記認証情報を含む。
本発明の他の態様によると、前記入力情報は、前記利用者の個人情報、識別コード、アカウント情報、パスワード、ログイン情報、及びセキュリティ質問の正答、の少なく一つを含むものである。
本発明の他の態様によると、前記記憶装置は、アプリケーションプログラムを実行するアプリケーション実行装置に備えられており、前記入力情報は、前記アプリケーションプログラムの実行に際して利用者が前記アプリケーション実行装置に入力した情報であって、前記入力情報消去部は、前記アプリケーション実行装置に指示して、前記記憶装置に記憶されている前記入力情報を消去する。
【発明の効果】
【００１０】
本発明によれば、複数の利用者が利用することのできる車両において利用者間に発生し得る、車載装置を介したアカウント情報等の盗用等を防止することができる。
【図面の簡単な説明】
【００１１】
【図１】本発明の一実施形態に係る入力情報管理システムが利用されるシーンの一例を示す図である。
【図２】図１に示す入力情報管理システムの構成を示す図である。
【図３】図１に示す入力情報管理システムにおける、電子鍵の鍵情報の構成の一例を示す図である。
【図４】図１に示す入力情報管理システムの動作の手順の一例を示すフロー図である。
【発明を実施するための形態】
【００１２】
以下、図面を参照して本発明の実施形態について説明する。図１は、本発明の一実施形態に係る入力情報管理システムが利用されるシーンの一例を示す図である。本実施形態に係る入力情報管理システム１００は、車両１０２に搭載され、例えば一の電子制御装置（ＥＣＵ、Ｅｌｅｃｔｒｏｎｉｃ  Ｃｏｎｔｒｏｌ  Ｕｎｉｔ）として構成されている。車両１０２は、アプリケーションプログラムを実行することにより利用者に種々の機能を提供するアプリケーション実行装置１０４を備える。このアプリケーション実行装置１０４は、例えばオーディオ再生機能やインターネットへのアクセス機能等を備えたディスプレイオーディオ装置（Ｄｉｓｐｌａｙ  Ａｕｄｉｏ）である。
【００１３】
本実施形態では、アプリケーション実行装置１０４は、実行するアプリケーションに依存して、当該アプリケーションの実行に際して、例えば利用者によるログイン動作の際に、当該利用者に対して当該利用者のＩＤ（識別コード）やパスワード等のアカウント情報（あるいはログイン情報）の入力を求める。また、アプリケーション実行装置１０４は、実行するアプリケーションに依存して、当該アプリケーションを介したウェブサイト等へのアクセスに際して同様のアカウント情報やログイン情報を求めたり、アカウント情報等の設定のために利用者の住所や生年月日等の個人情報の入力を求める。
【００１４】
アプリケーション実行装置１０４は、当該アプリケーション実行装置１０４が備えるタッチパネル等の入力装置を介して利用者が上記アカウント情報や個人情報を入力すると、例えばｃｏｏｋｉｅを用いるＷＥＢブラウザのようなアプリケーションに依存して、当該入力されたアカウント情報や個人情報を、当該アプリケーション実行装置１０４が備える記憶装置に記憶する。
【００１５】
そして、入力情報管理システム１００は、車両１０２に電子鍵が使用されたときに、当該使用された電子鍵に応じて、それまで上記記憶装置に記憶していた個人情報等の入力情報を消去するか又は記憶したまま維持する。
【００１６】
ここで、車両１０２の利用者は、本実施形態では車両１０２の所有者と、特定使用者と、非特定使用者とに分類される。ここで、特定使用者とは、車両１０２の所有者と所定の関係を有する者をいい、非特定使用者とは、特定使用者以外の者をいう。上記所定の関係は、例えば、家族であること、縁戚関係を有すること、車両１０２の共同購入者であること等をいうが、これには限られない。上記所定の関係は、例えば車両１０２の所有者が定義するものとすることができ、同じ会社や同好会等の所定の団体に属していること等を所定の関係としてもよい。
【００１７】
図１において、車両１０２は、当該車両１０２の所有者である利用者１２０と、当該所有者の家族であって特定使用者である利用者１２２と、例えば所有者である利用者１２０から車両１０２を借用して利用する第３者（ゲストともいう）であって非特定使用者である利用者１２４、１２６、１２８と、により利用される。
【００１８】
車両１０２は、当該車両１０２の所有者である利用者１２０により、ＦＯＢキー１４０が記憶する電子鍵１６０を用いて利用される。また、車両１０２は、家族である利用者１２２およびゲストである利用者１２４、１２６、１２８により、それぞれ携帯端末１５２、１５４、１５６、１５８が保持する電子鍵１６２、１６４、１６６、１６８を用いて利用される。
【００１９】
なお、以下では、車両１０２の所有者である利用者１２０以外の利用者１２２、１２４、１２６、１２８を総称して利用者１２２等といい、利用者１２０及び利用者１２２等を総称して利用者１２０等というものとする。また、利用者１２２等がそれぞれ保有する携帯端末１５２、１５４、１５６、１５８を総称して携帯端末１５２等といい、利用者１２０の携帯端末１５０と携帯端末１５２等とを総称して携帯端末１５０等というものとする。さらに、携帯端末１５２等がそれぞれ保持する電子鍵１６２、１６４、１６６、１６８を総称して電子鍵１６２等といい、ＦＯＢキー１４０が保持する電子鍵１６０と電子鍵１６２等とを総称して電子鍵１６０等というものとする。
【００２０】
鍵管理サーバ１０６は、例えばネットワーク１０８を介して、利用者１２０等の携帯端末１５０等と通信可能に接続されている。鍵管理サーバ１０６は、車両１０２の所有者である利用者１２０の承認の下に、利用者１２０以外の利用者１２２等に対し、当該利用者１２２等が特定使用者であるか非特定使用者であるかの区別（カテゴリ）を示すカテゴリ情報を含んだ電子鍵１６２等を生成し、当該利用者１２２等の携帯端末１５２等へ送信する。上記承認は、例えば利用者１２０が、自身の携帯端末１５０を用いて、鍵管理サーバ１０６からの問合せに応じて送信するものとすることができる。なお、車両１０２の所有者である利用者１２０以外の利用者１２２等が特定使用者であるか非特定使用者であるかは、例えば、当該所有者である利用者１２０が携帯端末１５０を介して鍵管理サーバ１０６に指示するか、又は当該利用者１２０が携帯端末１５０を介して提供する情報に基づいて鍵管理サーバ１０６が判断するものとすることができる。
【００２１】
上記の構成において、入力情報管理システム１００は、電子鍵１６０等のうちのいずれかの電子鍵を用いて車両１０２の操作が行われたときに、当該用いられた電子鍵１６０等の鍵情報を取得して記憶装置に記憶する。ここで、鍵情報とは、電子鍵１６０等を構成する符号列またはデータ列であって、当該電子鍵１６０の有効性や属性等を表すものをいう。
【００２２】
また、入力情報管理システム１００は、上記用いられた電子鍵１６０等の鍵情報を取得したときに、当該取得した鍵情報（現在の鍵情報という）と、当該現在の鍵情報の取得の前において最後に記憶した鍵情報（最後の鍵情報という）とを比較する。そして、入力情報管理システム１００は、当該比較の結果に応じて、アプリケーション実行装置１０４に指示して、当該アプリケーション実行装置１０４の記憶装置に記憶されている、個人情報等を含む入力情報を消去させる。
【００２３】
本実施形態では、上記電子鍵１６０等の鍵情報は、上述のように、当該電子鍵１６０等の保有者のカテゴリを示すカテゴリ情報を含む。具体的には、このカテゴリ情報は、例えば、車両１０２の所有者は「１」、特定使用者は「２」、非特定使用者は「３」というように、予め定義された符号で表現されるものとすることができる。
【００２４】
さらに、本実施形態では、上記電子鍵１６０等の鍵情報には、当該電子鍵１６０等を識別するための認証情報が含まれ得る。
【００２５】
そして、入力情報管理システム１００は、使用された現在の電子鍵の鍵情報（現在の鍵情報）が含むカテゴリ情報と、上記最後の鍵情報が含むカテゴリ情報とが一致しないとき、アプリケーション実行装置１０４に指示して当該アプリケーション実行装置１０４の記憶装置から上記入力情報を消去する。
【００２６】
また、入力情報管理システム１００は、上記現在の鍵情報が含むカテゴリ情報と上記最後の鍵情報のカテゴリ情報とが一致する場合であって、当該一致したカテゴリ情報が所定のカテゴリ情報であるときは、上記現在の鍵情報の認証情報と上記最後の鍵情報の認証情報とが異なる場合に、アプリケーション実行装置１０４に指示して当該アプリケーション実行装置１０４に記憶されている上記入力情報を消去する。ここで、上記所定のカテゴリ情報は、当該電子鍵の保有者が非特定使用者であることを示すものとすることができる。
【００２７】
上記の構成を有する入力情報管理システム１００は、上述のように、あらたに電子鍵１６０等を用いて車両１０２が操作されたときに、今回用いられた現在の電子鍵１６０等の鍵情報（現在の鍵情報）とその前に用いられた最後の電子鍵１６０等の鍵情報（最後の鍵情報）との、カテゴリ情報及び認証情報についての比較に基づいて、アプリケーション実行装置１０４が現在記憶している個人情報等の入力情報を消去するか否かを判断する。すなわち、入力情報管理システム１００では、車両１０２に用いられる電子鍵１６０等の保有者個々人を逐次特定することは行わないので、鍵情報と保有者個々人とを対応付けるデータベースを要することなく、簡易な処理により、個人情報等の入力情報の盗用等を防止することができる。
【００２８】
また、上記の入力情報管理システム１００では、現在の鍵情報と最後の鍵情報とが、共に非特定使用者を示すカテゴリ情報を有する場合には、これらの鍵情報に含まれる認証情報の比較に基づいて上記入力情報の消去を行う。これにより、入力情報管理システム１００では、非特定使用者である複数の第３者間での利用者交代を適切に検知して上記入力情報を消去する一方、車両１０２の所有者との関係（例えば親子関係等）が明らかである特定使用者間での利用者交代においては、入力情報を消去することなくその流用を可能として、特定使用者の利便性を確保することができる。
【００２９】
なお、認証情報は、上記のとおり、現在の鍵情報および最後の鍵情報に非特定使用者を示すカテゴリ情報が含まれる場合において利用者の交代を検知するために用いられるので、当該認証情報は、少なくとも非特定使用者を示すカテゴリ情報を含む鍵情報に含まれていればよい。ただし、非特定利用者を示すカテゴリ情報を上記所定のカテゴリ情報とすることは一例であって、これには限られない。これに加えて、特定使用者を示すカテゴリ情報を上記所定のカテゴリ情報とすることもできる。この場合には、特定使用者間での利用者交代の際にも上記入力情報を消去して、特定使用者間での当該入力情報の流用を防止することができる。
【００３０】
図２は、入力情報管理システム１００の構成の一例を、車両１０２における関連する装置の構成例と共に示す図である。上述したように、入力情報管理システム１００は、本実施形態では一つの装置、例えば電子制御装置（ＥＣＵ）として構成されている。入力情報管理システム１００は、車両１０２に搭載され、車載ネットワークバス２００を介して車両制御装置２０２、通信制御装置２０４、アプリケーション実行装置１０４、及びテレマティクス制御ユニット（ＴＣＵ、Ｔｅｌｅｍａｔｉｃｓ  Ｃｏｎｔｒｏｌ  Ｕｎｉｔ）２０６と、通信可能に接続されている。ここで、車載ネットワークバス２００は、例えばＣＡＮ（Ｃｏｎｔｒｏｌｌｅｒ  Ａｒｅａ  Ｎｅｔｗｏｒｋ）通信規格に従うＣＡＮバスである。
【００３１】
車両制御装置２０２は、車両１０２の所有者である利用者１２０が保有するＦＯＢキー１４０と通信して、当該ＦＯＢキー１４０の存在を検知する。具体的には、車両制御装置２０２は、ＦＯＢキー１４０と通信して当該ＦＯＢキー１４０の電子鍵１６０の鍵情報を取得する。そして、車両制御装置２０２は、上記取得した鍵情報の少なくとも一部（例えば、後述する電子鍵基本情報）と自身が記憶する鍵情報の少なくとも一部とを比較し、両者が一致するときは、ＦＯＢキー１４０を検知したものと判断する。
【００３２】
車両制御装置２０２は、ＦＯＢキー１４０を検知したとき、又は車載ネットワークバス２００を介して通信制御装置２０４から電子鍵有効通知を受信したときは、有効な電子鍵が車両１０２の内部又は周囲に存在するものと判断する。
【００３３】
車両制御装置２０２は、有効な電子鍵１６０等が車両１０２の内部又は周囲に存在することを条件として、利用者１２０等が行う車両始動スイッチ２１０の操作を検知し、車両１０２の駆動モータ（不図示）等に電力を供給する電力供給システム２１２のオン／オフを制御する。
【００３４】
また、車両制御装置２０２は、ＦＯＢキー１４０から車両１０２のドアの施解錠の指示を受信したとき、又は車載ネットワークバス２００を介して通信制御装置２０４からドア施解錠指示を受信したときに、ドアロック機構２１４に指示して当該ドアの施解錠を行う。
【００３５】
本実施形態では、更に、車両制御装置２０２は、ＦＯＢキー１４０からの指示により車両１０２のドアの施解錠を実行したときは、ＦＯＢキー１４０の電子鍵１６０の鍵情報を、車載ネットワークバス２００を介して入力情報管理システム１００へ送信する。また、車両制御装置２０２は、通信制御装置２０４からのドア施解錠指示に応じて車両１０２のドアの施解錠を実行したときは、通信制御装置２０４に対し、当該通信制御装置２０４が現在認証している電子鍵１６２等の鍵情報を入力情報管理システム１００へ送信することを指示する旨の鍵情報送信指示を送る。
【００３６】
通信制御装置２０４は、利用者１２２等の携帯端末１５２等と通信し、当該携帯端末１５２等が保有する電子鍵１６２等の鍵情報を取得する。
【００３７】
図３は、ＦＯＢキー１４０が保有する電子鍵１６０及び又は携帯端末１５２等が保有する電子鍵１６２等の、鍵情報の構成の一例を示す図である。鍵情報は、例えば、電子鍵基本情報部３００と、カテゴリ情報部３０２と、追加情報部３０４と、で構成されている。電子鍵基本情報部３００は、電子鍵基本情報を格納する。電子鍵基本情報は、その電子鍵１６０等が有効な電子鍵であるか否かの認証に用いられる。カテゴリ情報部３０２は、上述したカテゴリ情報を格納する。
【００３８】
追加情報部３０４は、その他の情報、例えば、上述した認証情報を格納するほか、その電子鍵１６０等の有効期限等の情報を格納し得る。本実施形態では、特に、少なくとも非特定使用者を示すカテゴリ情報がカテゴリ情報部３０２に格納される場合に、上記追加情報部３０４に上述した認証情報が格納される。
【００３９】
ここで認証情報は、例えば、現在において有効な（例えば有効期間が満了してない）、非特定使用者を示すカテゴリ情報を含んだ電子鍵１６４、１６６、１６８の中で、一の電子鍵を他の電子鍵から識別できる情報であればよい。したがって、例えば、鍵情報に非特定使用者を示すカテゴリ情報が含まれることを条件として、有効でなくなった一の電子鍵の認証情報を、新たに発行する電子鍵の認証情報として再利用することができる。これにより、鍵管理サーバ１０６における認証情報の生成処理または管理処理の負荷が軽減される。
【００４０】
通信制御装置２０４は、携帯端末１５２等から受信した電子鍵１６２等の鍵情報に含まれ得る電子鍵基本情報と、自身が記憶する電子鍵基本情報とを比較し、両者が一致するときは、その電子鍵１６２等を有効な電子鍵として認証する。この場合において、鍵情報が保持する追加情報に有効期限が含まれている場合には、通信制御装置２０４は、現在の日時が当該有効期限内であることを条件として、当該電子鍵１６２等を有効な電子鍵として認証する。
【００４１】
また、通信制御装置２０４は、電子鍵１６２等を有効な電子鍵として認証したときは、電子鍵有効通知を車両制御装置２０２へ送信する。これにより、利用者１２２等は、その車両始動スイッチ２１０を押下して車両駆動モータの起動を行うことが可能となる。
【００４２】
さらに、通信制御装置２０４は、電子鍵１６２等を有効な電子鍵として認証した場合において、携帯端末１５２等から車両１０２のドアの施解錠要求を受信したときは、車両制御装置２０２へドア施解錠指示を送信する。これにより、利用者１２２等は、自身の携帯端末１５２等を用いて車両１０２のドアを解錠し又は施錠することができる。
【００４３】
また、通信制御装置２０４は、車両制御装置２０２から鍵情報送信指示を受信したことに応じて、上記認証した電子鍵１６２等の鍵情報を、入力情報管理システム１００へ送信する。
【００４４】
アプリケーション実行装置１０４は、例えばディスプレイオーディオ装置であり、種々のアプリケーションプログラムを自動的に又は利用者１２０等の指示により実行し、様々な機能を利用者１２０等に提供する。
【００４５】
具体的には、アプリケーション実行装置１０４は、例えば、表示装置２２０と、入力装置２２２と、処理装置２２４と、記憶装置２２６と、通信装置２２８と、を備える。表示装置２２０は、例えば液晶表示装置であり、例えば車両１０２のダッシュボードに配される。入力装置２２２は、例えば、液晶表示装置である表示装置２２０の表示スクリーン上に配されたタッチパネルであり、利用者１２０等からの指示やデータ等の入力操作を受け付けて、当該入力操作の情報を処理装置２２４へ出力する。
【００４６】
通信装置２２８は、例えばＣＡＮバスである車載ネットワークバス２００を介して入力情報管理システム１００等の他の装置と通信するための、例えばＣＡＮトランシーバである。
【００４７】
記憶装置２２６は、例えば、揮発性及び又は不揮発性の半導体メモリ、及び又はハードディスク装置等により構成される。記憶装置２２６は、処理装置２２４が実行するアプリケーションプログラムが記憶されると共に、処理装置２２４における処理に必要なデータが予め又は当該処理につれて記憶される。特に、本実施形態では、記憶装置２２６は、処理装置２２４において実行されるアプリケーションに応じて利用者１２０等が入力装置２２２を介して入力する個人情報やアカウント情報等を含む入力情報２３０を、記憶する。
【００４８】
処理装置２２４は、例えば、ＣＰＵ（Ｃｅｎｔｒａｌ  Ｐｒｏｃｅｓｓｉｎｇ  Ｕｎｉｔ）等のプロセッサを備えるコンピュータである。処理装置２２４は、プログラムが書き込まれたＲＯＭ（Ｒｅａｄ  Ｏｎｌｙ  Ｍｅｍｏｒｙ）、データの一時記憶のためのＲＡＭ（Ｒａｎｄｏｍ  Ａｃｃｅｓｓ  Ｍｅｍｏｒｙ）等を有する構成であってもよい。そして、処理装置２２４は、機能要素又は機能ユニットとして、アプリケーション実行部２３２と、利用者入力取得部２３４と、情報管理部２３６と、を備える。
【００４９】
処理装置２２４が備えるこれらの機能要素は、例えば、コンピュータである処理装置２２４がプログラムを実行することにより実現される。なお、上記コンピュータ・プログラムは、コンピュータ読み取り可能な任意の記憶媒体に記憶させておくことができる。
【００５０】
アプリケーション実行部２３２は、処理装置２２４において現在実行中の、いわゆるアプリケーションであり、処理装置２２４が、例えば記憶装置２２６に記憶された対応するアプリケーションプログラムを、例えば処理装置２２４が実行するＯＳ（オペレーティングシステム、Ｏｐｅｒａｔｉｎｇ  Ｓｙｓｔｅｍ）上で実行することにより実現される。アプリケーション実行部２３２は、そのアプリケーションプログラムにより記述された機能を利用者１２０等に提供する。例えば、アプリケーション実行部２３２は、ウェブブラウザ等のアプリケーションを実行して、ＴＣＵ２０６を介してインターネット等の車外の通信ネットワークと通信を確立し、インターネット上のウェブサイトとの間でデータの授受を行い得る。
【００５１】
利用者入力取得部２３４は、アプリケーション実行部２３２における処理に伴って、入力装置２２２を介して利用者１２０等が入力した個人情報やアカウント情報等を含む入力情報を取得して、記憶装置２２６に記憶する。利用者入力取得部２３４は、例えば、上記アプリケーションプログラムの一部及び又はＯＳの一部として実現される。より具体的には、利用者入力取得部２３４の一部は、ウェブブラウザにおけるｃｏｏｋｉｅを構成し得る。
【００５２】
情報管理部２３６は、記憶装置２２６における入力情報２３０を管理する。具体的には、情報管理部２３６は、入力情報管理システム１００からの入力情報消去指示により、記憶装置２２６が記憶する入力情報２３０を消去する。これに加えて、情報管理部２３６は、記憶装置２２６に記憶される入力情報２３０をカテゴリ別に分類する分類情報を生成して保持するものとしてもよい。このカテゴリは、盗用の防止を必要とする秘密情報と、秘密情報以外の一般情報とを区別するものであるものとすることができる。
【００５３】
また、上記秘密情報には、利用者１２０等の個人情報、ＩＤコード（識別コード）、アカウント情報、パスワード、ログイン情報、セキュリティ質問の正答等が含まれ得る。この場合、情報管理部２３６は、入力情報管理システム１００から入力情報消去指示を受信したことに応じて、例えば、記憶装置２２６に記憶されている入力情報２３０のうち、秘密情報に分類された情報のみを消去するものとすることができる。
【００５４】
入力情報管理システム１００は、例えば、処理装置２４０と、記憶装置２４２と、通信装置２４４と、により構成される。通信装置２４４は、例えばＣＡＮバスである車載ネットワークバス２００を介してアプリケーション実行装置１０４等の他の装置と通信するための、例えばＣＡＮトランシーバである。
【００５５】
記憶装置２４２は、例えば、揮発性及び又は不揮発性の半導体メモリ、及び又はハードディスク装置等により構成される。記憶装置２４２は、処理装置２４０が実行するアプリケーションプログラムが記憶されると共に、処理装置２４０における処理に必要なデータが予め又は当該処理につれて記憶される。特に、本実施形態では、記憶装置２４２には、車両制御装置２０２及び又は通信制御装置２０４から送信される電子鍵１６０等の鍵情報が、処理装置２４０により最後の鍵情報２５０として記憶される。
【００５６】
処理装置２４０は、例えば、ＣＰＵ等のプロセッサを備えるコンピュータである。処理装置２４０は、プログラムが書き込まれたＲＯＭ、データの一時記憶のためのＲＡＭ等を有する構成であってもよい。そして、処理装置２４０は、機能要素又は機能ユニットとして、鍵情報取得部２６０と、入力情報消去部２６２と、を備える。
【００５７】
処理装置２４０が備えるこれらの機能要素は、例えば、コンピュータである処理装置２４０がプログラムを実行することにより実現される。なお、上記コンピュータ・プログラムは、コンピュータ読み取り可能な任意の記憶媒体に記憶させておくことができる。
【００５８】
鍵情報取得部２６０は、電子鍵１６０等の鍵情報を取得して記憶する。この鍵情報は、電子鍵１６０等を用いて車両１０２の操作が行われたとき、例えば車両１０２のドアの開錠が行われたときに、車両制御装置２０２又は通信制御装置２０４から受信され得る。
【００５９】
入力情報消去部２６２は、鍵情報取得部２６０が上記鍵情報を取得したときに、当該取得した鍵情報（すなわち、現在の鍵情報）と、当該現在の鍵情報の取得の前に鍵情報取得部２６０が最後に記憶装置２４２に記憶した最後の鍵情報２５０とを比較する。また、入力情報消去部２６２は、当該比較の結果に応じて、アプリケーション実行装置１０４の記憶装置２２６に記憶されている入力情報２３０を消去するか否かを判断する。そして、入力情報消去部２６２は、当該判断の結果におじて、例えばアプリケーション実行装置１０４に指示して、記憶装置２２６に記憶されている入力情報２３０を消去する。
【００６０】
より具体的には、入力情報消去部２６２は、現在の鍵情報のカテゴリ情報と最後の鍵情報のカテゴリ情報とが一致しないとき、記憶装置２２６に記憶されている前記入力情報を消去する。現在の鍵情報と最後の鍵情報とでカテゴリ情報が一致しないということは、車両１０２の前回の利用者と現在の利用者とは異なる者であることが明らかであり、入力情報２３０の盗用等が発生し得るためである。
【００６１】
また、入力情報消去部２６２は、現在の鍵情報のカテゴリ情報と最後の鍵情報２５０とが一致する場合であって、当該一致したカテゴリ情報が所定のカテゴリ情報、例えばその電子鍵の保有者が非特定者であることを示すカテゴリ情報であるときは、上記現在の鍵情報の認証情報と上記最後の鍵情報の認証情報とが異なる場合に、記憶装置２２６に記憶されている入力情報２３０を消去する。
【００６２】
現在の鍵情報と最後の鍵情報とでカテゴリ情報が一致し、且つ当該一致したカテゴリ情報が非特定使用者であって、それぞれの鍵情報の認証情報が異なっているときは、互いに何らの関係も有しない第３者間での利用者交代が発生したと判断することができ、従って、入力情報２３０の盗用等を回避する必要があると考えられるためである。
【００６３】
また、入力情報消去部２６２は、現在の鍵情報のカテゴリ情報と最後の鍵情報２５０とが一致する場合であって、当該一致したカテゴリ情報が特定使用者を示すものであるときは、記憶装置２２６に記憶されている入力情報２３０を消去しない。
【００６４】
現在の鍵情報と最後の鍵情報とでカテゴリ情報が一致し、且つ当該一致したカテゴリ情報が特定使用者である場合には、車両１０２の前回の利用者と現在の利用者とは、家族等の一定の関係を有することが明らかであり、前回の利用者の入力情報２３０を現在の利用者が使用しても、当該入力情報２３０の盗用等の問題は生じないと考えられるからである。また、家族等の間では、アカウント情報等を共有する場合もあり、入力情報２３０を消去せず、それらの流用を可能とする方が、利便性が向上すると考えられるためである。
【００６５】
ただし、これは一例であって、上述したように、上記一致したカテゴリ情報が特定使用者である場合にも、現在の鍵情報と最後の鍵情報との認証情報が異なる場合に、入力情報２３０を消去するものとしてもよい。
【００６６】
入力情報消去部２６２が上述の処理により入力情報２３０を消去するか否かの判断を行った後、鍵情報取得部２６０は、現在の鍵情報を、最後の鍵情報２５０として記憶装置２４２に記憶する。
【００６７】
次に、入力情報管理システム１００における動作について説明する。図４は、入力情報管理システム１００の動作の手順の一例を示すフロー図である。本処理は、入力情報管理システム１００の電源がオンされたとき開始し、オフされたときに終了する。
【００６８】
処理を開始すると、まず、処理装置２４０の鍵情報取得部２６０は、車載ネットワークバス２００を介して現在の鍵情報を受信したか否かを判断する（Ｓ１００）。上述したように、現在の鍵情報は、電子鍵１６０等を用いて車両１０２についての操作が行われたとき、例えば車両１０２のドアが解錠されたときに、車両制御装置２０２または通信制御装置２０４から受信される。
【００６９】
そして、現在の鍵情報を受信しないときは（Ｓ１００、ＮＯ）、鍵情報取得部２６０は、ステップＳ１００に戻って現在の鍵情報が受信されるのを待機する。一方、現在の鍵情報を受信したときは（Ｓ１００、ＹＥＳ）、鍵情報取得部２６０は、受信した現在の鍵情報を取得して（Ｓ１０２）、入力情報消去部２６２へ出力する。入力情報消去部２６２は、鍵情報取得部２６０から現在の鍵情報を受け取ると、当該受け取った現在の鍵情報と、記憶装置２４２に記憶されている最後の鍵情報とで、カテゴリ情報が一致しているか否かを判断する（Ｓ１０４）。
【００７０】
そして、一致しているときは（Ｓ１０４、ＹＥＳ）、入力情報消去部２６２は、当該一致しているカテゴリ情報は、非特定使用者を示すものであるか否かを判断する（Ｓ１０６）。そして、上記一致しているカテゴリ情報が非特定使用者を示すものであるときは（Ｓ１０６、ＹＥＳ）、入力情報消去部２６２は、上記現在の鍵情報と、上記最後の鍵情報とで、認証情報が一致しているか否かを判断する（Ｓ１０８）。
【００７１】
そして、一致してないときは（Ｓ１０８、ＮＯ）、入力情報消去部２６２は、例えばアプリケーション実行装置１０４に指示を送信して、記憶装置２２６が記憶する入力情報２３０を消去する（Ｓ１１０）。
【００７２】
続いて、鍵情報取得部２６０は、ステップＳ１０２で取得した現在の鍵情報を、最後の鍵情報２５０として記憶装置２４２に記憶した後（Ｓ１１２）、ステップＳ１００に戻って処理を繰り返す。
【００７３】
一方、ステップＳ１０４において現在の鍵情報と最後の鍵情報とでカテゴリ情報が一致しないときは（Ｓ１０４、ＮＯ）、入力情報消去部２６２は、ステップＳ１１０に処理を移して、記憶装置２２６の入力情報２３０を消去する。
【００７４】
また、一方、ステップＳ１０６において一致したカテゴリが非特定使用者を示すものでないときは（Ｓ１０６、ＮＯ）、入力情報消去部２６２は、ステップＳ１１２に処理を移し、入力情報２３０の消去は行わない。
【００７５】
また、一方、ステップＳ１０８において最後の鍵情報と現在の鍵情報とで認証情報が一致するときも（Ｓ１０８、ＹＥＳ）、入力情報消去部２６２は、ステップＳ１１２に処理を移し、入力情報２３０の消去は行わない。
【００７６】
なお、本発明は上記実施形態の構成に限られるものではなく、その要旨を逸脱しない範囲において種々の態様において実施することが可能である。
【００７７】
例えば、本実施形態では、入力情報管理システム１００は一つの車載装置として構成されるものとしたが、これには限られない。例えば、入力情報管理システム１００は、その機能が複数の装置に分割されて構成されるものとすることができる。例えば、入力情報管理システム１００は、当該入力情報管理システム１００の鍵情報取得部２６０の機能と記憶装置２４２の部分とを含む第１の装置と、入力情報消去部２６２の機能を含む第２の装置と、が車載ネットワークバス２００により通信可能に接続されて構成されるものとすることができる。
【００７８】
あるいは、入力情報管理システム１００は、その機能が分割されて、車両１０２の外に配された一の装置と、車両１０２内に配された他の装置と、で構成されるものとしてもよい。この場合いは、上記一の装置と上記他の装置とが、例えばネットワーク１０８を介して通信可能に接続されることにより、入力情報管理システム１００として機能するものとすることができる。また、あるいは、入力情報管理システム１００は、利用者１２０等から入力情報を取得するアプリケーション実行装置１０４の中に組み込まれて実現されるものとすることもできる。
【００７９】
また、本実施形態では、鍵情報に含まれるカテゴリ情報は、車両１０２の所有者、特定使用者、非特定使用者のいずれかのカテゴリを示すものとしたが、これには限られない。カテゴリ情報が示すカテゴリは、少なくとも、車両１０２を利用する利用者１２０等の交代に応じて入力情報２３０の消去が必要となる利用者グループと不要である利用者グループとを区別して示すことができるものであればよい。
【００８０】
例えば、カテゴリ情報は、ウェブブラウザのような個人情報やアカウント情報などの秘密情報の入力が必要となるアプリケーションの実行を許可しない機能制限有り利用者と、そのようなアプリケーションの実行が許可される機能制限無し利用者と、を区別するものとすることができる。この場合、例えば、上述の説明において、車両所有者及び特定使用者のカテゴリに代えて機能制限無し利用者のカテゴリが用いられ、非特定使用者のカテゴリに代えて機能制限有り利用者のカテゴリが用いられるものとすることができる。
【００８１】
あるいは、非特定使用者のカテゴリを、上記のような機能制限なし非特定使用者と機能制限あり非特定使用者とに、細分してもよい。この場合には、アプリケーション実行装置１０４は、例えば通信制御装置２０４から現在の鍵情報を取得して、当該取得した鍵情報のカテゴリ情報が機能制限あり非特定使用者であるときは、アプリケーション実行に際してアカウント情報等の秘密情報を用いるアプリケーションそのもの又は当該アプリケーションの一部の機能の実行を行わないものとすることができる。そして、入力情報消去部２６２は、現在の鍵情報と最後の鍵情報とで、カテゴリ情報が共に機能制限なし非特定使用者であるときには、これらの鍵情報の認証情報が異なっている場合に、記憶装置２２６に記憶された入力情報２３０を消去するものとすることができる。
【００８２】
また、上述の実施形態においては、車両１０２のドア開錠が行われたことに応じて、入力情報管理システム１００が現在の鍵情報を取得するものとしたが、これには限られない。これに代えて又はこれに加えて、入力情報管理システム１００は、例えば、車両始動スイッチ２１０が押されて車両１０２が始動されたときに、現在の鍵情報を取得するものとしてもよい。
【００８３】
例えば、車両１０２のドア開錠の際と、車両始動スイッチ２１０の押下の際とにおいて、入力情報管理システム１００が現在の鍵情報を取得するものとすれば、ドア開錠から車両始動までの間の利用者１２０等の交代をも検知して、入力情報２３０の消去の要否を適切に判断することができる。このような利用者１２０等の交代は、例えば、前の利用者が車両１０２のドア施錠をせずに次の利用者に交代した場合等に起こり得る。
【００８４】
また、上述の実施形態においては、入力情報消去部２６２は、入力情報２３０の消去の要否の判断に際して、鍵情報に含まれる有効期間の情報を用いないものしたが、これには限られない。入力情報消去部２６２は、上述において説明した動作に加えて、例えば、最後の鍵情報がその電子鍵１６０等の有効期間を示す追加情報を含む場合には、次の利用者が電子鍵１６０等を使用する前であっても、上記有効期間の終了のときに記憶装置２２６の入力情報２３０を消去してもよい。
【００８５】
また、上述の実施形態においては、入力情報管理システム１００は、車載装置であるアプリケーション実行装置１０４に入力され当該アプリケーション実行装置１０４の記憶装置２２６に記憶された入力情報２３０を消去するものとしたが、これには限られ無い。入力情報管理システム１００は、車両１０２に搭載され得る装置であって利用者１２０等の個人情報やアカウント情報等の秘密にしておくべき情報が入力され得る任意の車載装置に入力され記憶された入力情報を対象として、その入力情報を消去するよう動作するものとすることができる。
【００８６】
また、利用者１２０等が上記車載装置に入力した入力情報は、例えばアプリケーション実行装置１０４の記憶装置２２６のように当該車載装置が備える記憶装置に記憶されるものとすることができるが、これには限られない。上記入力情報は、車両１０２に搭載された他の装置の記憶装置、又は車載装置と通信可能に接続された車両１０２の外にある車外装置の記憶装置であってもよい。この場合には、入力情報管理システム１００は、車載装置に指示して、又は上記他の装置若しくは車外装置と通信可能に接続されているときは当該他の装置又は車外装置に指示して、それら他の装置又は車外装置の記憶装置に記憶された入力情報を消去するものとすることができる。
【００８７】
以上説明したように、本実施形態の入力情報管理システム１００は、複数の電子鍵１６０等のそれぞれを用いて利用することのできる車両１０２において利用者１２０等が入力した入力情報を管理する。入力情報管理システム１００は、鍵情報取得部２６０と、入力情報消去部２６２と、を備える。鍵情報取得部２６０は、電子鍵１６０等を用いて車両１０２の操作が行われたときに当該電子鍵１６０等の鍵情報を取得して記憶する。入力情報消去部２６２は、記憶装置２２６に記憶された入力情報２３０を消去する。ここで、入力情報消去部２６２は、鍵情報取得部２６０が鍵情報を取得したときに、当該取得した現在の鍵情報と、当該現在の鍵情報の取得の前に鍵情報取得部２６０が最後に記憶した最後の鍵情報２５０とを比較し、当該比較の結果に応じて記憶装置２２６に記憶されている入力情報２３０を消去する。
【００８８】
この構成によれば、車両１０２に最後に用いられた最後の鍵情報２５０と、現在用いられている現在の鍵情報と、に基づいて車両１０２の利用者の交代を適切に検知して、入力情報２３０を適切に消去することができる。このため、入力情報管理システム１００では、利用者間において発生し得る車載のアプリケーション実行装置１０４等を介したアカウント情報や個人情報等の盗用等を防止することができる。
【００８９】
また、入力情報管理システム１００では、鍵情報取得部２６０が取得する電子鍵１６０等の鍵情報は、当該電子鍵１６０等の保有者のカテゴリを示すカテゴリ情報を含む。また、入力情報消去部２６２は、現在の鍵情報のカテゴリ情報と最後の鍵情報のカテゴリ情報とが一致しないとき、記憶装置２２６に記憶されている入力情報２３０を消去する。
【００９０】
この構成によれば、使用されている鍵情報のカテゴリ情報の変化から、車両１０２の利用者の変化を容易に判断して、入力情報２３０を適切に消去することができる。
【００９１】
また、入力情報管理システム１００では、上記カテゴリ情報は、少なくとも、車両所有者、車両所有者と所定の関係を有する者である特定使用者、及び、車両所有者でなく特定使用者でもない非特定使用者、の区別を示すものである。
【００９２】
この構成によれば、車両１０２の利用者１２０等をカテゴリによりグループ化し、利用者の交代によって入力情報２３０を消去することが必要となる利用者グループと、必要でない利用者グループとに区別することができる。その結果、入力情報２３０の消去が必要となる利用者交代であるか否かを容易に判断することができる。
【００９３】
また、入力情報管理システム１００では、鍵情報取得部２６０が取得する電子鍵１６０等の鍵情報は、例えば追加情報の中に電子鍵１６０等を識別する認証情報を含む。また、入力情報消去部２６２は、現在の鍵情報のカテゴリ情報と最後の鍵情報２５０のカテゴリ情報とが一致する場合であって、当該一致したカテゴリ情報が所定のカテゴリを示すものであるときは、現在の鍵情報の認証情報と最後の鍵情報２５０の認証情報とが異なる場合に、記憶装置２２６に記憶されている入力情報２３０を消去する。
【００９４】
この構成によれば、現在および最後の利用者が、利用者の交代に伴って入力情報２３０の消去を必要とする特定のカテゴリに分類される利用者であるか否かを適切に判断し、認証情報に基づいて当該利用者の交代を容易に検出することができる。
【００９５】
また、上記所定のカテゴリ情報は、電子鍵１６０等の保有者が非特定使用者であることを示すものである。この構成によれば、例えば車両１０２をその所有者から借用する第３者を非特定使用者としてカテゴライズすることで、それら第３者間での入力情報２３０の盗用等を効果的に防止することができる。
【００９６】
また、入力情報管理システム１００では、少なくとも非特定使用者を示すカテゴリ情報を含む鍵情報を有する複数の電子鍵１６４、１６６、１６８は、当該鍵情報に互いに異なる認証情報を含む。この構成によれば、非特定使用者にカテゴライズされた例えば複数の第３者における車両１０２の利用交代を、適切に認識することが可能となる。
【００９７】
また、入力情報管理システム１００では、入力情報２３０は、当該入力情報２３０を入力した利用者１２０等の個人情報、識別コード、アカウント情報、パスワード、ログイン情報、セキュリティ質問の正答、の少なく一つを含むものである。
【００９８】
この構成によれば、利用者１２０等により入力された、秘密にしておくことが必要な情報を対象として、利用者間での盗用等の発生を防止することができる。
【００９９】
また、入力情報管理システム１００では、記憶装置２２６は、アプリケーションプログラムを実行するアプリケーション実行装置１０４に備えられている。また、入力情報２３０は、アプリケーションプログラムの実行に際して利用者１２０等がアプリケーション実行装置１０４に入力した情報である。そして、入力情報消去部２６２は、アプリケーション実行装置１０４に指示して、記憶装置２２６に記憶されている入力情報２３０を消去する。
【０１００】
この構成によれば、ディスプレイオーディオ装置等の、任意のアプリケーションを実行し得るアプリケーション実行装置１０４において利用者１２０等により入力されることとなった個人情報等の入力情報２３０を対象として、車両１０２における利用者の交代に応じて当該入力情報２３０を適切に消去することができる。
【符号の説明】
【０１０１】
１００…入力情報管理システム、１０２…車両、１０４…アプリケーション実行装置、１０６…鍵管理サーバ、１０８…ネットワーク、１２０、１２２、１２４、１２６、１２８…利用者、１４０…ＦＯＢキー、１５０、１５２、１５４、１５６、１５８…携帯端末、１６０、１６２、１６４、１６６、１６８…電子鍵、２００…車載ネットワークバス、２０２…車両制御装置、２０４…通信制御装置、２０６…テレマティクス制御ユニット（ＴＣＵ）、２１０…車両始動スイッチ、２１２…電力供給システム、２１４…ドアロック機構、２２０…表示装置、２２２…入力装置、２２４、２４０…処理装置、２２６、２４２…記憶装置、２２８、２４４…通信装置、２３０…入力情報、２３２…アプリケーション実行部、２３４…利用者入力取得部、２３６…情報管理部、２５０…最後の鍵情報、２６０…鍵情報取得部、２６２…入力情報消去部、３００…電子鍵基本情報部、３０２…カテゴリ情報部、３０４…追加情報部。
【図１】
2020160639.tif 000003
【図２】
2020160639.tif 000004
【図３】
2020160639.tif 000005
【図４】
2020160639.tif 000006